(57)【要約】本発明は、成形板紙製品を製造する方法および装置に関する。本発明によると、板紙ブランクは、雌工具要素（３）および雄工具要素（４）と、フレーム工具要素（５）と、を備える成形工具（２）によって成形され、雌工具要素および雄工具要素のうち、一方は、他方の工具要素に対して移動し、フレーム工具要素は、雄工具要素に関連して配置され、形成される板紙製品の縁は、成形に関連してフレーム工具要素によって平らにされる。本発明は、装置の使用にも関する。【選択図】図２
2018518390.tif 000002
【特許請求の範囲】
【請求項１】
成形板紙製品を製造する方法であって、板紙ブランクは、雌工具要素および雄工具要素と、フレーム工具要素と、を備える成形工具によって成形され、雌工具要素および雄工具要素のうち、一方は、他方の工具要素に対して移動し、フレーム工具要素は、雄工具要素に関連して配置され、形成される板紙製品の縁は、成形に関連してフレーム工具要素によって平らにされ、力の分散と、雌工具要素に対する雄工具要素の押圧力と、は、雄工具要素のフレキシブル構造によって制御され、フレーム工具要素は、フレーム工具要素の少なくとも２つのアクチュエータによって制御され、フレーム工具要素の移動経路は、フレーム工具のアクチュエータと関連して配置された少なくとも１つの調整片によって機械的に調整され、フレーム工具要素は、独立して制御されることを特徴とする、方法。
【請求項２】
請求項１に記載の方法であって、雌工具要素は、圧迫を提供するように雄工具要素に対して移動することを特徴とする、方法。
【請求項３】
請求項１または２に記載の方法であって、使用されるフレキシブル構造は、皿ばねであることを特徴とする、方法。
【請求項４】
請求項１〜３のいずれか１項に記載の方法であって、フレーム工具要素の動きおよび押圧力は、フレーム工具要素の少なくとも２つのアクチュエータによって制御されることを特徴とする、方法。
【請求項５】
請求項１〜４のいずれか１項に記載の方法であって、調整片は、フレーム工具のアクチュエータの下に配置されることを特徴とする、方法。
【請求項６】
成形板紙製品を製造する装置であって、前記装置（１）は、少なくとも１つの成形工具（２）を備え、成形工具によって板紙ブランクが成形され、成形工具は、雌工具要素（３）および雄工具要素（４）と、フレーム工具要素（５）と、フレーム工具要素（５）を制御するフレーム工具要素の少なくとも２つのアクチュエータ（６）と、フレーム工具要素のアクチュエータ（６）と関連して少なくとも１つの調整片（７）と、を備え、雌工具要素（３）および雄工具要素（４）のうち、一方は、他方の工具要素に対して移動し、フレーム工具要素（５）は、雄工具要素（４）に関連して配置され、形成される板紙製品の縁を平らにし、調整片（７）は、フレーム工具要素（５）の移動経路を機械的に調整し、雄工具要素（４）は、少なくとも１つ以上のフレキシブル構造（８）を備え、フレキシブル構造によって、力の分散と、雌工具要素（３）に対する雄工具要素（４）の押圧力と、が制御されることができ、フレーム工具要素は、独立して制御可能であることを特徴とする、装置。
【請求項７】
請求項６に記載の装置であって、雌工具要素（３）は、雄工具要素（４）の上に配置され、雄工具要素に対して移動することを特徴とする、装置。
【請求項８】
請求項６または７に記載の装置であって、成形工具（２）は、雌工具要素（３）を移動させる雌工具要素の少なくとも１つのアクチュエータを備えることを特徴とする、装置。
【請求項９】
請求項６〜８のいずれか１項に記載の装置であって、雄工具要素（４）は、少なくとも１つ以上の皿ばね（８）を備え、皿ばね（８）によって、雌工具要素（３）に対する雄工具要素（４）の押圧力を制御することが可能であることを特徴とする、装置。
【請求項１０】
請求項６〜９のいずれか１項に記載の装置であって、フレーム工具要素（５）は、フレーム工具要素が雄工具要素を周辺的に取り囲むように構成される仕方で、雄工具要素（４）と関連して配置されることを特徴とする、装置。
【請求項１１】
請求項６〜１０のいずれか１項に記載の装置であって、成形工具は、フレーム工具要素（５）の動きおよび押圧力を制御するフレーム工具要素の少なくとも２つのアクチュエータ（６）を備えることを特徴とする、装置。
【請求項１２】
請求項６〜１１のいずれか１項に記載の装置であって、フレーム工具要素（５）のアクチュエータ（６）の下に、フレーム工具要素（５）の移動経路を機械的に調整する少なくとも１つの調整片（７）があることを特徴とする、装置。
【請求項１３】
請求項６〜１２のいずれか１項に記載の装置であって、前記装置は、成形工具（２）を制御する少なくとも１つの制御手段を備えることを特徴とする、装置。
【請求項１４】
請求項６〜１３のいずれか１項に記載の装置であって、成形工具（２）は、フレーム工具要素（５）を持ち上げる手段を備えることを特徴とする、装置。
【請求項１５】
請求項６〜１４のいずれか１項に記載の装置であって、前記装置は、モジュール式板紙製品製造ラインに接続可能である工具モジュールであることを特徴とする、装置。
【請求項１６】
板紙製品の製造における請求項６〜１５のいずれか１項に記載の装置の使用。
【発明の詳細な説明】
【技術分野】
【０００１】
本発明は、成形板紙製品を製造するための請求項１のプリアンブルに定義された方法および請求項６のプリアンブルに定義された装置に関する。
【背景技術】
【０００２】
様々な種類の方法および成形工具が、板紙から板紙製品を成形することに関して従来技術で知られている。従来技術では、成形板紙製品を製造するための雌工具および雄工具を有する成形工具がある。
【発明の概要】
【発明が解決しようとする課題】
【０００３】
本発明の目的は、成形板紙製品を製造する新しいタイプの方法を開示することである。本発明の別の目的は、成形板紙製品を製造する新しいタイプの装置を開示することである。
【課題を解決するための手段】
【０００４】
本発明による方法および装置は、請求項に記載の特徴に特徴付けられる。
【０００５】
本発明は、成形板紙製品を製造する方法に基づく。その方法では、板紙ブランクは、成形工具によって成形され、その成形工具は、雌工具要素および雄工具要素と、フレーム工具要素と、を備え、雌工具要素および雄工具要素のうち、一方は、他方の工具要素に対して移動し、フレーム工具要素は、雄工具要素に関連して配置され、形成される板紙製品の縁（例えばエッジ）は、成形に関連してフレーム工具要素によって平らにされ、好ましくは、板紙ブランクの折り畳みまたは畝立ては、成形に関連してフレーム工具要素によって制御される。
【０００６】
また、本発明は、成形板紙製品を製造する装置に基づき、その装置は、少なくとも１つの成形工具を備え、それによって板紙ブランクが成形され、成形工具は、雌工具要素および雄工具要素と、フレーム工具要素と、を備え、雌工具要素および雄工具要素のうち、一方は、他方の工具要素に対して移動し、フレーム工具要素は、雄工具要素に関連して配置され、形成される板紙製品の縁（例えばエッジ）を平らにするように、および成形に関連して板紙ブランクの折り畳みまたは畝立てを制御するように、配置される。
【０００７】
これに関連して、板紙は、あらゆるファイバーベースの原料から形成されていてよく、木質系または植物由来の原料またはファイバーベースの複合原料またはそれの組み合わせなどである。原料は、いわゆる原材料から構成された材料（木材または植物由来の材料、パルプ、繊維または同種のものなど）、あるいは、リサイクル材料（パルプ、繊維または同種のものなど）、またはそれの組み合わせ、であってよい。一実施形態では、板紙は、いくつかのファイバーベースのプライから形成された紙製品である。一実施形態では、板紙は、１つのファイバーベースのプライまたはシート状材料から形成された厚紙製品である。板紙は、あらゆる板紙、ボール紙、または他のものであってよく、そのような厚紙は、１７０〜６００ｇ／ｍ２の坪量を有し得る。
【０００８】
これに関連して、板紙ブランクは、板紙製品を形成する板紙材料から切断または除去された、好ましく適切な大きさの部分、一片または同種のものを意味する。好ましくは、板紙ブランクは、形成される製品の観点から適切な大きさに切断された板紙の部分である。一実施形態では、板紙ブランクは、成形前に折り目付けステップで処理された。一実施形態では、板紙ブランクは、成形前に、板紙材料から切断された（例えばウェブ）。板紙ブランクは、折り目、切り込み、切れ目、開口または同種のものを含んでよい。
【０００９】
これに関連して、板紙ブランクの成形は、板紙製品の形状を提供する、あらゆる成形、加工、成形するための形成または押圧またはそれらの組み合わせを意味する。
【００１０】
好ましくは、雌工具要素用の嵌合片は、雄工具要素であり、対応して、雄工具要素用の嵌合片は、雌工具要素である。
【００１１】
一実施形態では、雌工具要素は、雄工具要素の上に配置される。一実施形態では、雌工具要素は、雄工具要素の下に配置される。一実施形態では、雌工具要素は、固定式雄工具要素に対して移動する。一実施形態では、雌工具要素は、下−上方向にあるいは上−下方向に移動する。好ましくは、雌工具要素は、圧迫およびそれによる成形を提供するために雄工具要素に押し付けられるように、移動する。一実施形態では、雌工具要素は、雄工具要素に対する雌工具要素の少なくとも１つのアクチュエータ（例えば、油圧または空気圧アクチュエータ）によって、移動する。一実施形態では、成形工具は、雌工具要素を移動させる雌工具要素の少なくとも１つのアクチュエータを備える。一実施形態では、成形工具は、雄工具要素を移動させる雄工具要素の少なくとも１つのアクチュエータを備える。一実施形態では、アクチュエータは、シリンダである。
【００１２】
一実施形態では、板紙ブランクを成形するステップは、形成される板紙製品の口が下方へ開くように、実行される。
【００１３】
一実施形態では、雌工具要素に対する雄工具要素の押圧力は、雄工具要素のフレキシブル構造（例えば、フレキシブル材料またはばね）によって（皿ばねによってなど）、および好ましい実施形態ではフレキシブル構造の予圧または剛性を変えることによって、制御される。一実施形態では、雄工具要素は、少なくとも１つ以上のフレキシブル構造（例えば、皿ばねなどのばね）を備え、例えば、それの剛性を変えることによって、雌工具要素に対する雄工具要素の押圧力を制御することが可能である。一実施形態では、雄工具要素のフレキシブル構造によって（例えば、その剛性によって）、板紙製品の縁を平らにするのに使用される力の程度を制御することが可能である。異なる工具要素間の力の分散は、板紙製品の高品質を提供するように、特に皿ばねによって、有利に調整することができる。
【００１４】
一実施形態では、フレーム工具要素は、雄工具要素とは別の部品である。一実施形態では、フレーム工具要素は、雄工具要素に接続される。一実施形態では、フレーム工具要素は、雄工具要素の一部である。一実施形態では、フレーム工具要素は、雄工具要素の周りに配置される。一実施形態では、フレーム工具要素は、フレーム工具要素が雄工具要素を周辺的に取り囲むように構成される方法で、雄工具要素に関連して配置される。
【００１５】
一実施形態では、フレーム工具要素用の嵌合片は、雌工具要素である。
【００１６】
一実施形態では、フレーム工具要素、特にその動きおよび押圧力は、フレーム工具要素の少なくとも２つのアクチュエータ（例えば、油圧または空気圧アクチュエータ）によって制御される。一実施形態では、フレーム工具要素は、フレーム工具要素の、少なくとも３つの、あるいは少なくとも４つの、アクチュエータによって制御される。一実施形態では、成形工具は、フレーム工具要素の少なくとも２つのアクチュエータを備える。一実施形態では、成形工具は、フレーム工具要素の少なくとも３つのアクチュエータを備える。一実施形態では、成形工具は、フレーム工具要素の少なくとも４つのアクチュエータを備える。一実施形態では、アクチュエータは、シリンダである。
【００１７】
一実施形態では、フレーム工具要素の移動経路は、調整片によって機械的に調整される。従って、板紙製品の縁およびその大きさ（例えば、エッジの厚さ）の均一化を制御することが可能である。一実施形態では、フレーム工具要素のアクチュエータと関連して、少なくとも１つの調整片がある。一実施形態では、調整片は、アクチュエータの下に配置される。板紙の厚さの差が、移動経路を調整することによって有利に補償されることができる。
【００１８】
一実施形態では、成形工具の力は、板紙製品の成形（特に成形をもたらすこと）と、縁の均一化と、の間で機械的に分散する。一実施形態では、力の分散は、雄工具要素のフレキシブル構造の予圧および／または剛性を変えることによって、調整される。一実施形態では、板紙の折り畳みに寄与する保持力は、特にアクチュエータ調整される。一実施形態では、保持力は、好ましくは予めプログラムされた仕方で、雄工具要素の動きに応じて調整される。
【００１９】
一実施形態では、装置は、板紙製品の成形を制御する少なくとも１つの制御手段を備える。一実施形態では、装置は、成形工具を制御する少なくとも１つの制御手段を備える。一実施形態では、装置は、雌および／または雄工具要素を制御する少なくとも１つの制御手段を備える。一実施形態では、装置は、フレーム工具要素を制御する少なくとも１つの制御手段を備える。一実施形態では、成形および成形力は、制御手段によって制御される。一実施形態では、成形用の動作パラメータは、制御手段によって調整することができる。一実施形態では、成形用の動作パラメータは、制御手段によって選択することができる。
【００２０】
一実施形態では、雄工具要素とフレーム工具要素とは、別々に制御される。一実施形態では、雄工具要素とフレーム工具要素とは、単一ユニットとして制御される。
【００２１】
一実施形態では、板紙製品の縁を平らにするための異なる制御動作が、別々に（すなわち、それぞれ独立して）行われる。一実施形態では、少なくとも２つの異なる制御動作が、互いに応じて行われる。一実施形態では、板紙製品の縁を平らにするための異なる制御動作が、無段階で行われる。
【００２２】
一実施形態では、成形板紙製品は、雌工具要素が去った（例えば、雄工具要素から持ち上げられたまたは下げられた）後に（すなわち、雌工具要素が、雄工具要素にもはや接触しないときに）、フレーム工具要素を持ち上げることによって雄工具要素から持ち上げられる。一実施形態では、成形工具は、フレーム工具要素を持ち上げる手段を備え、それによって成形板紙製品が雄工具要素から持ち上げ可能である。
【００２３】
一実施形態では、装置は、成形工具またはその一部を加熱する少なくとも１つの加熱手段を備える。一実施形態では、装置は、雌工具要素を加熱る少なくとも１つの加熱手段を備える。
【００２４】
一実施形態では、本発明による装置は、モジュール式板紙製品製造ラインに接続可能である工具モジュールである。一実施形態では、本発明による装置は、モジュール式板紙製品製造ラインに接続可能である工具モジュールの一部である。一実施形態では、工具モジュールには、成形工具が設けられる。一実施形態では、工具モジュールには、成形工具に加えて、板紙ブランクを加工するおよび／または板紙製品を形成する１つ以上の工具が設けられる。好ましくは、本発明による装置が設けられている工具モジュールは、モジュール式板紙製品製造ラインで他の工具モジュールと縦列で配置される。好ましくは、異なる工具モジュールは、板紙製品の製造を考慮して適切な順序で配置される。一実施形態では、工具モジュールは、モジュール式板紙製品製造ラインのフレームに（例えば、ガイドに）接続される。一実施形態では、本発明による装置が設けられている工具モジュールは、モジュール式板紙製品製造ラインで独立して交換可能である。一実施形態では、本発明による装置は、板紙製品製造ラインまたは製造プロセスで交換可能である。一実施形態では、本発明による装置が設けられている工具モジュールは、モジュール式板紙製品製造ラインで移動可能である。
【００２５】
一実施形態では、本方法は、板紙ブランクを成形する前に板紙ブランクを加工する前処理ステップを備える。
【００２６】
一実施形態では、本方法は、成形ステップの後に成形板紙製品を後処理する後処理ステップを備える。
【００２７】
成形工具として、雄工具要素、雌工具要素、およびフレーム工具要素を備えるあらゆる成形工具を使用することが可能である。雄工具要素、雌工具要素および／またはフレーム工具要素として、技術的にそれ自体が公知である部品、あるいは本発明による装置用に特別設計された部品または他の適切な部品を、使用することが可能である。
【００２８】
本発明による方法および装置は、あらゆる板紙製品の製造で使用されてよい。一実施形態では、板紙製品は、トレー、皿、容器、そのような種類の製品およびその異なる組み合わせのグループから選択される。本発明による装置は、あらゆる板紙製品製造ライン、製造機器または製造プロセスで使用されてよい。本発明による装置は、モジュール式板紙製品製造ラインで使用されてよい。
【００２９】
本発明によって、板紙製品の縁の平坦さを向上させることが可能である。従って、板紙製品の外観および板紙製品に加えられる蓋の継ぎ合わせ性を向上させることが可能である。板紙製品の縁を平らにすることは、板紙製品にしっかりと蓋を加えることを向上させ、保護気密的に板紙製品の密閉を可能にする。
【００３０】
本発明による装置は、モジュール式製造ライン構造でモジュールとして使用されてよい。異なる製造プロセス用の装置の大量生産を、簡単に手配することができる。従って、機器の製造コストを減少させることが可能である。また、予備部品サービスが容易になり、コストが減少する。
【図面の簡単な説明】
【００３１】
【図１】本発明による装置を備える一製造ラインを示す。
【図２】本発明による一装置を示す。
【発明を実施するための形態】
【００３２】
本発明は、添付図面を参照して、その実施形態の例によってこれから詳しく記載される。
【００３３】
図１は、工具モジュールとしての（すなわち成形モジュールとしての）本発明による装置（１）を備えるモジュール式板紙製品製造ライン（１０）を示す。
【００３４】
図２は、トレー型板紙製品を成形する本発明による一装置を示す。図２の装置は、一成形工具（２）を備え、それによって板紙ブランクが成形される。成形工具（２）は、雌工具要素（３）および雄工具要素（４）を備える。雌工具要素は、雄工具要素の上に配置され、雄工具要素に対して移動する。成形工具（２）は、雌工具要素（３）を移動させる、雌工具要素の少なくとも１つのアクチュエータ（図示せず）を備える（例えば、空気圧または油圧シリンダ）。雌工具要素（３）は、雌工具要素用の嵌合片である固定式雄工具要素（４）に対して下−上方向に移動し、雌工具要素が雄工具要素に対して押され、板紙ブランクの成形および圧迫を提供するようになっている。形成される板紙製品の口は、下方へ開く。雄工具要素（４）は、少なくとも１つ以上の皿ばね（８）を備え、それによって、例えばその剛性を変えることによって、雌工具要素（３）に対する雄工具要素の押圧力を制御することが可能である。
【００３５】
さらに、成形工具（２）は、雄工具要素を周辺的に取り囲むように雄工具要素（４）に関連して配置されたフレーム工具要素（５）を備える。フレーム工具要素（５）は、形成される板紙製品のエッジを平らにするように、および成形に関連して板紙ブランクの折り畳みを制御するように、配置される。フレーム工具要素（５）用の嵌合片は、雌工具要素（３）である。さらに、成形工具（２）は、フレーム工具要素（５）の押圧力および移動を制御する、フレーム工具要素の少なくとも２つのアクチュエータ（６）を備える（例えば、空気圧または油圧シリンダ）。フレーム工具要素のアクチュエータ（６）に関連して、それの下などに、フレーム工具要素（５）の移動経路を機械的に調整する少なくとも１つの調整片（７）がある。
【００３６】
装置は、成形工具（２）を制御する少なくとも１つの制御手段（図示せず）を備え、雌工具要素（３）が、所望の場合に独立して制御可能に、および、フレーム工具要素（５）が、所望の場合に雄工具要素（４）に対して独立して制御可能になっている。板紙製品の縁を平らにするための異なる制御動作が、別々に（すなわち、それぞれ独立して、あるいは互いに応じて）行われることができる。
【００３７】
成形工具（２）は、フレーム工具要素（５）を持ち上げる手段を備えてよく、それによって成形板紙製品が雄工具要素（４）から持ち上げ可能である。
【００３８】
さらに、装置は、成形工具またはその一部を加熱する少なくとも１つの加熱手段（図示せず）を備える。
【００３９】
本発明による方法および装置は、様々な実施形態として、様々な種類の板紙ブランク用の成形デバイスを提供する用途に、および様々な板紙製品または同種のものの製造に関連する用途に、適している。
【００４０】
本発明は、上記の例だけに限定されず、多くの変形が、請求項によって定められる発明概念の範囲内で可能である。
【図１】
2018518390.tif 000003
【図２】
2018518390.tif 000004
【国際調査報告】
2018518390.tif 000005
2018518390.tif 000006
2018518390.tif 000007